【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
カルーセル方式により繰り返し放送されるデジタルデータ放送に含まれる印刷用文書データを用いて、通信可能に接続された画像形成装置に送信する印刷データを生成するデジタル放送受信装置であって、
前記デジタルデータ放送に含まれる、データ放送画面を表示するための表示用文書データと印刷に利用される印刷用文書データとを取得し、記憶部に格納する取得手段と、
前記表示用文書データを用いてデータ放送画面を表示する表示手段と、
前記表示手段で表示されたデータ放送画面を介して、ユーザから印刷用文書データの印刷処理の実行を指示する印刷指示を受け付けたことに応じて、前記画像形成装置に印刷要求を発行する印刷要求手段と、
前記印刷要求手段により前記画像形成装置に印刷要求を発行した後、前記記憶部に格納されている前記印刷用文書データを削除する制御を行う制御手段と、
前記印刷要求に応答して前記画像形成装置から送信された印刷データの配信要求を受け付ける受付手段と、
前記デジタルデータ放送に含まれる印刷用文書データから前記画像形成装置が解釈可能な印刷データを生成し、前記画像形成装置に送信する印刷データ出力手段と、を有し、
前記取得手段は、前記受付手段により配信要求を受け付けた後に、受信中のデジタルデータ放送に含まれる印刷用文書データを当該デジタルデータ放送から再び取得し、
前記印刷データ出力手段は、前記取得手段により再び取得された印刷文書データから前記画像形成装置が解釈可能な印刷データを生成し、前記画像形成装置に送信することを特徴とするデジタル放送受信装置。
【請求項２】
カルーセル方式により繰り返し放送されるデジタルデータ放送に含まれる印刷用文書データを用いて、通信可能に接続された画像形成装置に送信する印刷データを生成するデジタル放送受信装置の制御方法であって、
前記デジタルデータ放送に含まれる、データ放送画面を表示するための表示用文書データと印刷に利用される印刷用文書データとを取得し、記憶部に格納する第１の取得ステップと、
前記表示用文書データを用いてデータ放送画面を表示部に表示する表示ステップと、
前記表示ステップで表示されたデータ放送画面を介して、ユーザから印刷用文書データの印刷処理の実行を指示する印刷指示を受け付けたことに応じて、前記画像形成装置に印刷要求を発行する印刷要求ステップと、
前記印刷要求ステップにより前記画像形成装置に印刷要求を発行した後、前記記憶部に格納されている前記印刷用文書データを削除する制御を行う制御ステップと、
前記印刷要求に応答して前記画像形成装置から送信された印刷データの配信要求を受け付ける受付ステップと、
前記受付ステップにより配信要求を受け付けた後に、受信中のデジタルデータ放送に含まれる印刷用文書データを当該デジタルデータ放送から再び取得する第２の取得ステップと、
前記第２の取得ステップにより再び取得された印刷用文書データから前記画像形成装置が解釈可能な印刷データを生成し、前記画像形成装置に送信する印刷データ出力ステップと、を有することを特徴とするデジタル放送受信装置の制御方法。
【手続補正２】
【補正対象書類名】明細書
【補正対象項目名】発明の名称
【補正方法】変更
【補正の内容】
【発明の名称】デジタル放送受信装置及びデジタル放送受信装置の制御方法
【手続補正３】
【補正対象書類名】明細書
【補正対象項目名】０００１
【補正方法】変更
【補正の内容】
【０００１】
本発明は、デジタル放送受信装置及びデジタル放送受信装置の制御方法に関し、特に、デジタルデータ放送を受信するデジタル放送受信装置における印刷処理に用いて好適なものである。
【手続補正４】
【補正対象書類名】明細書
【補正対象項目名】００１１
【補正方法】変更
【補正の内容】
【００１１】
本発明は、前述の問題点に鑑みてなされたものであり、画像形成装置に画像の形成（印刷）を要求するデジタル放送受信装置の負荷を可及的に低減させるようにすることを目的とする。
【手続補正５】
【補正対象書類名】明細書
【補正対象項目名】００１２
【補正方法】変更
【補正の内容】
【００１２】
本発明のデジタル放送受信装置の制御装置は、カルーセル方式により繰り返し放送されるデジタルデータ放送に含まれる印刷用文書データを用いて、通信可能に接続された画像形成装置に送信する印刷データを生成するデジタル放送受信装置であって、前記デジタルデータ放送に含まれる、データ放送画面を表示するための表示用文書データと印刷に利用される印刷用文書データとを取得し、記憶部に格納する取得手段と、前記表示用文書データを用いてデータ放送画面を表示する表示手段と、前記表示手段で表示されたデータ放送画面を介して、ユーザから印刷用文書データの印刷処理の実行を指示する印刷指示を受け付けたことに応じて、前記画像形成装置に印刷要求を発行する印刷要求手段と、前記印刷要求手段により前記画像形成装置に印刷要求を発行した後、前記記憶部に格納されている前記印刷用文書データを削除する制御を行う制御手段と、前記印刷要求に応答して前記画像形成装置から送信された印刷データの配信要求を受け付ける受付手段と、前記デジタルデータ放送に含まれる印刷用文書データから前記画像形成装置が解釈可能な印刷データを生成し、前記画像形成装置に送信する印刷データ出力手段と、を有し、前記取得手段は、前記受付手段により配信要求を受け付けた後に、受信中のデジタルデータ放送に含まれる印刷用文書データを当該デジタルデータ放送から再び取得し、前記印刷データ出力手段は、前記取得手段により再び取得された印刷文書データから前記画像形成装置が解釈可能な印刷データを生成し、前記画像形成装置に送信することを特徴とする。
【手続補正６】
【補正対象書類名】明細書
【補正対象項目名】００１３
【補正方法】変更
【補正の内容】
【００１３】
本発明のデジタル放送受信装置の制御方法は、カルーセル方式により繰り返し放送されるデジタルデータ放送に含まれる印刷用文書データを用いて、通信可能に接続された画像形成装置に送信する印刷データを生成するデジタル放送受信装置の制御方法であって、前記デジタルデータ放送に含まれる、データ放送画面を表示するための表示用文書データと印刷に利用される印刷用文書データとを取得し、記憶部に格納する第１の取得ステップと、前記表示用文書データを用いてデータ放送画面を表示部に表示する表示ステップと、前記表示ステップで表示されたデータ放送画面を介して、ユーザから印刷用文書データの印刷処理の実行を指示する印刷指示を受け付けたことに応じて、前記画像形成装置に印刷要求を発行する印刷要求ステップと、前記印刷要求ステップにより前記画像形成装置に印刷要求を発行した後、前記記憶部に格納されている前記印刷用文書データを削除する制御を行う制御ステップと、前記印刷要求に応答して前記画像形成装置から送信された印刷データの配信要求を受け付ける受付ステップと、前記受付ステップにより配信要求を受け付けた後に、受信中のデジタルデータ放送に含まれる印刷用文書データを当該デジタルデータ放送から再び取得する第２の取得ステップと、前記第２の取得ステップにより再び取得された印刷用文書データから前記画像形成装置が解釈可能な印刷データを生成し、前記画像形成装置に送信する印刷データ出力ステップと、を有することを特徴とする。
【手続補正７】
【補正対象書類名】明細書
【補正対象項目名】００１５
【補正方法】変更
【補正の内容】
【００１５】
本発明によれば、デジタル放送受信装置が行う処理の負荷が、印刷用文書データの保管や準備によって増大することを可及的に防止することができる。